(57)【要約】【課題】一つのシリンダーを利用して継続的に流体を供給できる流体供給装置を提供する。【解決手段】本発明は、一つの流体シリンダーを利用した流体供給装置に関するものであり、より詳しくは、空圧または油圧シリンダーひとつを利用して持続的に流体を供給できる、シリンダーを利用した流体供給装置に関するものである。本発明のシリンダーを利用した流体供給装置は、お互い対向して両側にポンプがそれぞれ設置され、片方にシリンダーが設置され、シリンダーシャフトの上下運動により両側のポンプから交代で流体を持続的に供給することを特徴とする。すなわち、一つのシリンダーで両側のポンプから流体を交代で順次的に供給し、絶えず持続的に流体を供給することになる。【選択図】図１
2014190337.tif 000002
【特許請求の範囲】
【請求項１】
流体流入口（１４ａ）を通して流体を流入して流体排出管（１２ａ）を通して流体を排出する複数のポンプ（１０ａ）と、上記複数のポンプを固定支持する支持板（３０ａ）と、上記複数のポンプのシャフト（１６ａ）を固定する固定板（４０ａ）を含む第１供給部（１００ａ）；  及び
上記第１供給部に対向して設置され、流体流入口（１４ｂ）を通して流体を流入して流体排出管（１２ｂ）を通して流体を排出する複数のポンプ（１０ｂ）と、上部及び下部側にそれぞれ設置される流体流入管（２２ａ、２２ｂ）を通して流入する流体の力により作動するシリンダー（２０）と、上記複数のポンプ（１０ｂ）と上記シリンダー（２０）を固定支持する支持板（３０ｂ）と、上記複数のポンプ（１０ｂ）のシャフト（１６ｂ）とシリンダーのシャフト（２６）を固定する固定板（４０ｂ）を含む第２供給部（１００ｂ）；を有し、
上記シリンダーのシャフト（２６）は上記第１供給部の固定板（４０ａ）と上記第２供給部の固定板（４０ｂ）にそれぞれ固定され、上記シリンダーシャフトの上下運動により第１供給部と第２供給部のポンプから流体を交代で順次的に供給し、絶えず持続的に流体を供給することを特徴とする
シリンダーを利用した流体供給装置。
【請求項２】
上記第１供給部及び上記第２供給部にそれぞれリミットスイッチ（５０ａ、５０ｂ）を設置し、
上記固定板（４０ａ、４０ｂ）の上下移動により上記リミットスイッチ（５０ａ、５０ｂ）が交代で作動し、
上記リミットスイッチの作動により、上記シリンダーの上部及び下部側の流体流入管（２２ａ、２２ｂ）に流体が交代で流入することを特徴とする
請求項１に記載のシリンダーを利用した流体供給装置。
【請求項３】
第２項において、
上記シリンダーの流体流入管（２２ａ、２２ｂ）への流体流入はリミットスイッチ（５０ａ、５０ｂ）の信号により作動する制御部の制御信号により成されることを特徴とする
請求項２に記載のシリンダーを利用した流体供給装置。
【発明の詳細な説明】
【技術分野】
【０００１】
本発明は一つの流体シリンダーを利用した流体供給装置に関するものであり、より詳しくは空圧または油圧のシリンダーを利用して持続的に流体を供給することができる、シリンダーを利用した流体供給装置に関するものである。
【背景技術】
【０００２】
ポンプは、圧力作用を利用して管を通して流体を輸送する機械の通称である。
【０００３】
一般的に広く使用されるエアポンプ（ａｉｒ  ｐｕｍｐ）は、内部に遮蔽板が形成されており、シャフトに連結された取っ手を押せば遮蔽板が降りながらポンプ下部に連結された排出管を通してエアが排出され、シャフトを上げればポンプ上部のエアホールを通して空気が流入し、遮蔽板の隙間を通して遮蔽板の下部に空気が入りこむ。遮蔽板にオーリングが形成されるが、上記オーリングは一定の空間で上下移動しながら延性で成され、遮蔽板が降りる時には隙間を塞いで遮蔽板の上に空気が入らないようにし、遮蔽板が上がる時には隙間を開いてポンプ上部のエアホールを通して流入した空気が遮蔽板の下部に入るようにする。また、ポンプ下部に連結された排出管にもチェックバルブが形成され、エアの排出は成されるが、エアの流入は防ぐようになる。
【０００４】
これに従い、エアポンプは取っ手を利用してシャフトを上下移動させることにより排出管を通してエアをポンピングするのである。
【発明の概要】
【発明が解決しようとする課題】
【０００５】
しかし、このようなエアポンプは取っ手が下がる時にだけ空気を排出して空気を供給するが、取っ手が上がる時には空気を排出できなくなる。従って、持続的に空気を排出しようとする場合には、従来のエアポンプを使用できないという短所がある。
【０００６】
従来の公知の特許に『ブレイクシリンダーのエア供給システム』（韓国特許公開番号第２００６−００８４８９）がある。上記特許はピストンロードの外周面にブレーキを設置する一方でこのブレーキを作動させるソレノイドバルブを具備し、シリンダーのピストンを移動させるように上記ピストンの片方に所定圧力のエアを供給するブレーキシリンダーのエア供給システムにおいて、上記ピストンロードにブレーキをかける時に上記ピストンの他方にエアを供給する一方でブレーキを解除してピストンロードを移動させる場合にエアを排出させるように、蒸気ピストンの他方にはエア供給ラインが連結され、上記エア供給ラインには流路を切りかえるソレノイドバルブが設置されている。しかし、上記特許はブレーキシリンダーに限定され、ソレノイドバルブを使用しなければならないという点、シリンダーエアを供給するための目的であり、外部にエアを供給する目的ではないと言う点から、ポンプ代用として使用するには適合しない。
【０００７】
本発明は上記の問題点を解決するために案出されたものであり、本発明の目的は、一つのシリンダーを利用して継続的に流体を供給できる流体供給装置を提供することである。
本発明の目的は以上で言及した目的により制限されず、言及していない他の目的は下の記載から明確に理解できるはずである。
【課題を解決するための手段】
【０００８】
本発明は上記の目的を達成するためのものであり、本発明のシリンダーを利用した流体供給装置は流体流入口（１４ａ）を通して流体を流入し、流体排出管（１２ａ）を通して流体を排出する複数のポンプ（１０ａ）と、上記複数のポンプを固定支持する支持板（３０ａ）と、上記複数のポンプのシャフト（１６ａ）を固定する固定板（４０ａ）を含む第１供給部（１００ａ）；  及び
上記第１供給部に対向して設置されるが、流体流入口（１４ｂ）を通して流体を流入して流体排出管（１２ｂ）を通して流体を排出する複数のポンプ（１０ｂ）と、上部及び下部側にそれぞれ設置される流体流入管（２２ａ、２２ｂ）を通して流入する流体の力により作動するシリンダー（２０）と、上記複数のポンプ（１０ｂ）と上記シリンダー（２０）を固定支持する支持板（３０ｂ）と、上記複数のポンプ（１０ｂ）のシャフト（１６ｂ）とシャフト（２６）を固定する固定板（４０ｂ）を含む第２供給部（１００ｂ）；を有し、
上記シリンダーのシャフト（２６）は上記第１供給部の固定板（４０ａ）と上記第２供給部の固定板（４０ｂ）にそれぞれ固定され、上記シリンダーシャフトの上下運動により第１供給部と第２供給部のポンプから流体を交代で順次的に供給し、絶えず持続的に流体を供給する。
【０００９】
好適には、上記第１供給部及び上記第２供給部にそれぞれリミットスイッチ（５０ａ、５０ｂ）を設置し、上記固定板（４０ａ、４０ｂ）の上下移動により上記リミットスイッチ（５０ａ、５０ｂ）が交代で作動し、上記リミットスイッチの作動により、上記シリンダーの上部及び下部側の流体流入管（２２ａ、２２ｂ）に流体が交代で流入する。
【００１０】
好適には、上記シリンダーの流体流入管（２２ａ、２２ｂ）への流体流入はリミットスイッチ（５０ａ、５０ｂ）の信号により作動する制御部の制御信号により成立する。
【発明の効果】
【００１１】
本発明のシリンダーを利用した流体供給装置は、一つのシリンダーを設置し、これに連結されるポンプを両側に設置し、一つのシリンダーを利用して継続的に流体を供給できる。すなわち、持続的な流体の供給に必要な装置や設備に本発明の流体供給装置が設置可能となるはずである。
【図面の簡単な説明】
【００１２】
【図１】本発明の望ましい実施例による、シリンダーを利用した流体供給装置の斜視図であり、第１供給部が流体を供給する様子を図示する。
【図２】本発明の望ましい実施例による、シリンダーを利用した流体供給装置の斜視図であり、第２供給部が流体を供給する様子を図示する。
【発明を実施するための形態】
【００１３】
以下では添付された図面を参照しながら、本発明のシリンダーを利用した流体供給装置をより詳しく説明する。
【００１４】
図１及び図２は、本発明の望ましい実施例による、シリンダーを利用した流体供給装置の斜視図である。図１は第１供給部が流体を供給する様子を図示し、図２は第２供給部が流体を供給する様子を図示する。
【００１５】
図１及び図２を参照すれば、本発明のシリンダーを利用した流体供給装置は、お互い対向するように両側にポンプがそれぞれ設置され、片方にシリンダーが設置され、シリンダーシャフトの上下運動により両側のポンプから交代で持続的に流体が供給されることを特徴とする。すなわち、一つのシリンダーで両側のポンプから流体を交代で順次的に供給し、絶えず持続的に流体を供給することになる。
【００１６】
第１供給部（１００ａ）は、複数のポンプ（１０ａ）と、上記複数のポンプを固定支持する支持板（３０ａ）と、上記複数のポンプのシャフト（１６ａ）を固定する固定板（４０ａ）を含む。
【００１７】
ポンプ（１０ａ）は、流体流入口（１４ａ）を通して流体を流入し、流体排出管（１２ａ）を通して流体を排出する流体ポンプで、従来の技術と関連して上で説明したとおり従来の一般的な流体ポンプである。ポンプの内部に遮蔽板とオーリングが形成され、流体排出管側にはチェックバルブが形成されており、一方向すなわち流体排出管に流体が排出されるだけで、流体排出管を通して流体が流入することはない。
【００１８】
ポンプ（１０ａ）の駆動は、ポンプのシャフト終端に固定された固定板（４０ａ）の上下移動により成される。固定板（４０ａ）の上下移動は、これと締結されたシリンダーシャフト（２６）により成されるのである。
【００１９】
ポンプ（１０ａ）の数及び容量は、排出される流体の量を考慮して適切に選択できる。すなわち、ポンプ（１０ａ）の数と容量を当業者の必要により可変させることができるのはもちろんであり、図示されたとおり必ず２ないし４個に限定されるものではない。
【００２０】
一方、第２供給部（１００ｂ）は、上記第１供給部に対向して設置されるが、複数のポンプ（１０ｂ）と、上記複数のポンプを固定支持する支持板（３０ｂ）と、上記複数のポンプのシャフト（１６ａ）を固定する固定板（４０ｂ）を含むとともに、上部及び下部側にそれぞれ設置される流体流入管（２２ａ、２２ｂ）を通して流入する流体の力により作動するシリンダー（２０）を含む。
【００２１】
上記支持板（３０ｂ）は、複数のポンプ（１０ｂ）とシリンダー（２０）を共に固定支持し、固定板（４０ｂ）または上記複数のポンプ（１０ｂ）のシャフト（１６ｂ）と上記シリンダー（２０）のシャフト（２６）を共に固定する。
【００２２】
第２供給部（１００ｂ）に設置されるポンプ（１０ｂ）は、流体流入口（１４ｂ）を通して流体を流入し、流体排出管（１２ｂ）を通して流体を排出する流体ポンプであり、従来の技術と関連して上で説明したとおり従来の一般的な流体ポンプである。
【００２３】
ポンプ（１０ｂ）の駆動もまた、ポンプのシャフト終端に固定された固定板（４０ｂ）の上下移動により成され、固定板（１０ｂ）の上下移動はこれと締結されたシリンダーシャフト（２６）の上下移動により成されるものである。
【００２４】
ポンプ（１０ｂ）の数及び容量は、排出される流体の量を考慮して適切に選択することができる。すなわち、ポンプ（１０ｂ）の数と容量を当業者の必要により可変させることができるのはもちろんであり、図示されたとおり必ず２ないし４個に限定されるものではない。
【００２５】
望ましくは、第１供給部（１００ａ）に設置されるポンプ（１０ａ）と第２供給部（１００ｂ）に設置されるポンプ（１０ｂ）の数は同一である。これは安定的な同一の量の流体を供給するためである。
【００２６】
シリンダー（２０）は、上部及び下部側にそれぞれ設置される流体流入管（２２ａ、２２ｂ）を通して流入される流体の力により作動する。流体は、流体または液体が使用される。シリンダーの流体流入管（２２ａ、２２ｂ）への流体流入は、制御部（図示されていない）の制御信号により成される。制御部は、リミットスイッチの信号により作動する。
【００２７】
リミットスイッチ（５０ａ、５０ｂ）は、第１供給部の固定板（４０ａ）の上部側及び第２供給部の固定板（４０ｂ）の上部側にそれぞれに設置される。シリンダーの力により固定板が図の左右へ移動することにより、リミットスイッチを作動させるものである。
【００２８】
図１を参照すれば、シリンダー（２０）の下部側に連結された流体流入管（２２ａ）を通して流体が流入されれば、流体の力によりシリンダーのシャフト（２６）に固定連結された固定板（４０ａ、４０ｂ）が左側に移動する。これにより、第１供給部の固定板（４０ａ）が第１供給部側に設置されたリミットスイッチ（５０ａ）を左側に移動させてＯＮにする。
【００２９】
すると、もう一度図２のように、シリンダー（２０）の上部側に連結された流体流入管（２２ｂ）を通して流体がシリンダーの上部側に流入する。するとシリンダーシャフト（２６）は反対に動き、シリンダーのシャフト（２６）に固定連結された固定板（４０ａ、４０ｂ）を右側に押すようになる。固定板が右側に動きながら再び第２供給部側に設置されたリミットスイッチ（５０ｂ）を右側に移動させてＯＮにする。すると再び図１のようにシリンダー（２０）の下部側に連結された流体流入管（２２ａ）を通してシリンダーの下部に流体が流入する。
【００３０】
このように、固定板（４０ａ、４０ｂ）により両側のリミットスイッチ（５０ａ、５０ｂ）が交代で作動することにより、上記シリンダーの上部及び下部側の流体流入管（２２ａ、２２ｂ）に流体が交代で流入し、これにより、シリンダーの力によって両側のポンプから流体を交代で順次的に供給し、絶えず持続的に流体を供給できる。
【００３１】
以上の説明は、本発明の技術思想を例示的に説明したものに過ぎず、本発明が属する技術分野で通常の知識を持つ者であれば、本発明の本質的な特性から抜け出さない範囲で多様な修正及び変形が可能であるだろう。従って、本発明に掲示された実施例は本発明の技術思想を限定するためのものではなく、説明するためのものであり、このような実施例によって本発明の技術思想の範囲が限定されるものでもない。本発明の保護範囲は、特許請求範囲により解釈されなければならず、それと同等の範囲内にあるすべての技術思想は、本発明の権利範囲に含まれるものと解釈されなければならない。
【符号の説明】
【００３２】
１００ａ：  第１供給部
１００ｂ：  第２供給部
１０ａ、１０ｂ：  ポンプ
１２ａ、１２ｂ：  流体排出管
１４ａ、１４ｂ：  流体流入口
１６ａ、１６ｂ：  ポンプシャフト
２０：  シリンダー
２２ａ、２２ｂ：  流体通路管
２６：  シリンダーシャフト
３０ａ、３０ｂ：  支持板
４０ａ、４０ｂ：  固定板
５０ａ、５０ｂ：  リミットスイッチ
【図１】
2014190337.tif 000003
【図２】
2014190337.tif 000004